(57)【要約】【課題】カードとコネクタの各コンタクトとの接触圧力が減小することがなく、更に、カードがコネクタから無用に離脱することもなく、しかも、構造が簡素なスライダ付きカードコネクタを提供する。【解決手段】スライダ４は、弾性変形可能な金属板から製造され、折り曲げ形成された押圧部４ａと、ロック部４ｂと、当接部４ｃと、コネクタ１のハウジング２に対する一対の係止部４ｄとから構成される。（Ａ）の状態において、カード１１の左端（後端）を手指で右方に押すと、カードの右端（前端）が当接部４ｃを右方に押すので、カードとスライダは一体となって右方に移動する。ロック部は途中で退避量Ｄだけ上方に変形し、以後はロック部を手指で右方に押すと、当接部と各係止部はハウジングの後板２ｅに突き当たって、（Ｂ）の嵌合状態に至る。この状態では、カードの信号用カード接点（図示せず）は、コネクタの各コンタクト３と接触する。【選択図】      図６
2004214002.tif 000002
【特許請求の範囲】
【請求項１】
複数のコンタクトと、前記各コンタクトを保持するハウジングと、前記ハウジングにスライド可能に保持されるスライダとから構成され、
前記スライダは、弾性変形可能な非平板形状の押圧部と、カードの前端に当接する当接部と、前記カードの後端に係合する係合部とを有し、
前記スライダと前記スライダに載置される前記カードとは連動してスライドし、
前記カードを前記ハウジングに挿入して接続する際、前記押圧部は前記カードを前記各コンタクトに向けて押圧し、かつ、接続時の前記カードの変形を防止し、前記押圧部が前記カードを押圧するとき、前記ロック部は前記カードの後端と係合して前記カードの前記ハウジングからの離脱を防止することを特徴とするスライダ付きカードコネクタ。
【請求項２】
前記ロック部に前記カードを前記ハウジングから排出するための引出し部が形成されていることを特徴とする請求項１記載のスライダ付きカードコネクタ。
【発明の詳細な説明】
【０００１】
【発明の属する技術分野】
本発明は、スライダのスライドによって、カードのコネクタへの挿入とコネクタからの排出を行うスライダ付きカードコネクタに関する。
【０００２】
【従来の技術】
従来のカードコネクタについて図９と図１０を参照して説明する。
【０００３】
カードコネクタ４１は、ハウジング４２と、ハウジング４２に保持される６本のコンタクト４３とから構成される。図９（Ａ）は、ハウジング４２の斜視図であり、上側図は、表面側から見たもの、下側図は、裏面側から見たもので、上側図の鏡像を、それぞれ示す。
【０００４】
ハウジング４２は、合成樹脂から長方形の枠型構造に製造される。ハウジング４２の上板４２ａには、６本のコンタクト４３（図１０参照）を圧入又はインサート成形するために、６箇所の長方形状の孔４２ａ１が設けられる。更に、ハウジング４２の左右両側板４２ｂ，４２ｃの下端には、上板４２ａに平行にカード５１用の受部４２ｂ１，４２ｃ１が設けられる。カード５１は、ハウジング４２の前側に設けられた開口部４２ｄから挿入されて、後板４２ｅに突き当たって停止する。
【０００５】
カード５１は、図１０に示されるように、ハウジング４２に挿入されると、カード５１の信号用カード接点（図示せず）と各コンタクト４３とが接触するから、カード５１は、コネクタ４１と接続する。
【０００６】
なお、スライダ付きカードコネクタは、既に提案されている（例えば、特許文献１参照。）。これらのスライダにおけるカードを載置する部分は、全面的に平坦な板である。
【０００７】
【特許文献１】
特開２０００−２６０５２４号公報（第２頁第２欄第３２行−第３頁第４欄第１５行、図１−８）
【０００８】
【発明が解決しようとする課題】
前記従来のカードコネクタ４１においては、図１０に示されるように、カード５１がカードコネクタ４１に挿入されると、カード５１は、ハウジング４２に保持される各コンタクト４３の弾性力によって矢印方向に押圧される。したがって、カード５１は、その中央部がハウジング４２から突出する方向に変形する。カード５１の最大たわみ量をＥとする。この結果、カード５１と各コンタクト４３との接触圧力が、減小する。
【０００９】
特許文献１に記載されたスライダ付きカードコネクタにおいては、カードは、スライダに載置される。スライダは略全面的に平坦な板であり、板が相当の剛性を有するので、カードとコネクタの各コンタクトとの接触圧力は減小しない。しかし、カードは、コネクタに挿入（嵌合）された後、衝撃又は振動等に起因してコネクタから排出（離脱）するという欠点が、コネクタに生じる。
【００１０】
そこで、本発明は、前記各従来の技術の欠点を改良し、カードとコネクタの各コンタクトとの接触圧力が減小することがなく、更に、カードがコネクタから無用に離脱することもなく、しかも、構造が簡素なスライダ付きカードコネクタを提供しようとするものである。
【００１１】
【課題を解決するための手段】
本発明は、前記課題を解決するため、次の手段を採用する。
【００１２】
１．複数のコンタクトと、前記各コンタクトを保持するハウジングと、前記ハウジングにスライド可能に保持されるスライダとから構成され、前記スライダは、弾性変形可能な非平板形状の押圧部と、カードの前端に当接する当接部と、前記カードの後端に係合する係合部とを有し、前記スライダと前記スライダに載置される前記カードとは連動してスライドし、前記カードを前記ハウジングに挿入して接続する際、前記押圧部は前記カードを前記各コンタクトに向けて押圧し、かつ、接続時の前記カードの変形を防止し、前記押圧部が前記カードを押圧するとき、前記ロック部は前記カードの後端と係合して前記カードの前記ハウジングからの離脱を防止するスライダ付きカードコネクタ。
【００１３】
２．前記ロック部に前記カードを前記ハウジングから排出するための引出し部が形成されている前記１記載のスライダ付きカードコネクタ。
【００１４】
【発明の実施の形態】
本発明の２つの実施の形態例のスライダ付きカードコネクタについて説明する。
【００１５】
まず、第１実施の形態例について図１〜図７を参照して説明する。
【００１６】
スライダ付きカードコネクタ１は、図１に示されるように、ハウジング２と、ハウジング２に対して挿入排出されるスライダ４とを有する。
【００１７】
スライダ４について図２を参照して説明する。図２は、スライダ４の斜視図であり、上側図は、表面側から見たもの、下側図は、裏面側から見たもので、上側図の鏡像を、それぞれ示す。
【００１８】
スライダ４は、折り曲げ形成された押圧部４ａと、押圧部４ａの一方側に連続して曲げ起し形成されたロック部４ｂと、押圧部４ａの他方側の中央に連続して曲げ起し形成された当接部４ｃと、押圧部４ａの他方側の両端に連続して曲げ起し形成された一対の係止部４ｄとから一体に構成される。
【００１９】
スライダ４は、弾性変形可能な金属板から製造される。押圧部４ａは、カード１１（図６と図８参照）をハウジング２に保持される各コンタクト３に接触させる作用を営む。押圧部４ａは、折曲位置４ａ１を頂線とする山型に形成される。
【００２０】
ロック部４ｂは、図６（Ｂ）に示されるように、カード１１のコネクタ１からの離脱を防止する。具体的に説明すると、ロック部４ｂは、カード１１の後端に係合（直面）することによって、カード１１がコネクタ１のハウジング２から抜出されることを防止する。図６（Ａ）と図４に示されるように、ロック部４ｂは、退避量Ｄだけ弾性変形することができる。ロック部４ｂの中央には、カード１１をコネクタ１から離脱させるときに手指を引っ掛けるための引出し部４ｂ１が形成される。
【００２１】
当接部４ｃは、カード１１がコネクタ１に挿入される初期の行程において、カード１１の先端によって押され、また、カード１１がコネクタ１から排出される行程において、カード１１の先端を押す。
【００２２】
一対の係止部４ｄは、図６（Ａ）に示されるように、カード１１の挿入直前又は排出直後の状態において、スライダ４がハウジング２から脱落することを防止する。
【００２３】
ハウジング２について図３を参照して説明する。図３は、ハウジング２の斜視図であり、上側図は、表面側から見たもの、下側図は、裏面側から見たもので、上側図の鏡像を、それぞれ示す。
【００２４】
ハウジング２は、合成樹脂から長方形の枠型構造に製造される。ハウジング２の上板２ａには、６本のコンタクト３（図６（Ａ）参照）を圧入又はインサート成形するために、６箇所の長方形状の孔２ａ１が中央に設けられ、また、左右両側の各２箇所に金型成形用孔２ａ２が設けられる。更に、ハウジング２の左右両側板２ｂ，２ｃの下端には、上板２ａに平行に３箇所のスライダ４用の受部２ｂ１，２ｃ１が設けられる。スライダ４は、ハウジング２の前側に設けられた開口部２ｄから挿入されて、後板２ｅに突き当たって停止する（図６参照）。
【００２５】
カード１１のコネクタ１への挿入とコネクタ１からの排出について説明する。
【００２６】
図１の状態において、カード１１をスライダ４の押圧部４ａ上に載置すると、図６（Ａ）の状態に至る。カード１１の後端をコネクタ１の方向に若干押すと、カード１１の先端がスライダ４の当接部４ｃを押すので、図４の状態に至る。更に、カード１１の後端をコネクタ１の方向に若干押すと、スライダ４の押圧部４ａの裏面は、ハウジング２の合計６箇所の受部２ｂ１，２ｃ１に圧接するため、ロック部４ｂは、退避量Ｄだけ上方に弾性変形し、図６（Ａ）の破線の位置まで至る。以後は、ロック部４ｂをコネクタ１の方向に押し進めると、カード１１の後端は、ロック部４ｂに押され、スライダ４の当接部４ｃと各係止部４ｄがハウジング２の後板２ｅに突き当たることによって、スライダ４とカード１１は、図６（Ｂ）に示される状態で停止する。このとき、カード１１は、スライダ４の弾性変形力によって上方に押されるから、カード１１の表面に設けられた信号用カード接点１２（図４参照）は、ハウジング２に保持された各コンタクト３に接触する。したがって、カード１１は、コネクタ１と接続する。
【００２７】
カード１１をコネクタ１から排出するときには、図６（Ｂ）の状態において、スライダ４の引出し部４ｂ１（図１、図２参照）に手指を引っ掛けてスライダ４をハウジング２から引き出す。すると、当接部４ｃがカード１１の先端を押すため、スライダ４と共にカード１１は、コネクタ１から排出される。
【００２８】
図７は、スライダ４の押圧部４ａの一設計変更例である。この押圧部４ａは、連続的に湾曲した曲面に構成される。
【００２９】
次に、本発明の第２実施の形態例について図８を参照して説明する。第２実施の形態例については、第１実施の形態例と同様な点の説明を省略し、相違する点のみの説明を行う。
【００３０】
カード３１は、その表面の先端側の７箇所に信号用カード接点３２を設けられる。これに対して、スライダ付きカードコネクタ２１は、そのハウジング２２の上板２２ａの後側の７箇所に長方形状の孔２２ａ１が設けられる。
【００３１】
本実施の各形態例においては、スライダ４の押圧部４ａは、折曲された平面又は連続的に湾曲した曲面であるが、カードがコネクタの各コンタクトと圧接したとき、カードの変形を防止することができ、しかも、スライダ４のロック部４ｂがカードの後端に係合することができれば、他の面（例えば、平面と曲面との複合面）に設計変更可能である。
【００３２】
【発明の効果】
以上の説明から明らかなように、本発明によれば、次の効果が奏される。
【００３３】
１．スライダの押圧部がカードをコネクタの各接点に押圧するので、カードとコネクタの各接点との接触圧力は減小しない。
【００３４】
２．衝撃又は振動等が生じても、スライダのロック部はカードの後端に係合しているため、カードはコネクタから無用に離脱しない。
【００３５】
３．カードをスライダに載置するとき、スライダのロック部が退避しているので、カードをコネクタのハウジングに平行に挿入することができる。したがって、カードは、挿入されるとき、コネクタの各接点に妨害されずに容易に挿入される。
【００３６】
４．カードをコネクタのハウジングから排出するとき、スライダのロック部の引出し部に手指を引っ掛けて引き出すことによって簡単に排出することができるので、便利である。
【００３７】
５．コネクタの構造が簡素で、部品点数が少なく、組立分解が簡単で、しかも、コストが安価である。
【図面の簡単な説明】
【図１】本発明の第１実施の形態例のスライダ付きカードコネクタの斜視図（ただし、スライダがハウジングから引き出された状態を示す。）である。
【図２】同スライダの斜視図であり、上側図は、表面側から見たもの、下側図は、裏面側から見たもので、上側図の鏡像を、それぞれ示す。
【図３】同ハウジングの斜視図であり、上側図は、表面側から見たもの、下側図は、裏面側から見たもので、上側図の鏡像を、それぞれ示す。
【図４】図１のスライダにカードが載置された状態の斜視図である。
【図５】同コネクタの斜視図（ただし、スライダがハウジングに挿入された状態を示す。）である。
【図６】（Ａ）は同コネクタに同カードが嵌合する前の状態（換言すると、離脱した状態）の断面図、（Ｂ）は同コネクタに同カードが嵌合した状態の断面図を、それぞれ示す。
【図７】図２に示されるスライダの一設計変更例の斜視図である。
【図８】本発明の第２実施の形態例のスライダ付きカードコネクタ（ただし、スライダがハウジングから引き出された状態を示す。）とカードとの斜視図である。
【図９】従来のカードコネクタとカードの斜視図であり、（Ａ）は同コネクタで、上側図は表面側から見たもの、下側図は裏面側から見たもので、上側図の鏡像、（Ｂ）は同カードを、それぞれ示す。
【図１０】同コネクタに同カードが嵌合した状態における同カードの変形を示す模式図である。
【符号の説明】
１    スライダ付きカードコネクタ
２    ハウジング
２ａ    上板
２ａ１    孔
２ａ２    金型成形用孔
２ｂ    側板
２ｂ１    受部
２ｃ    側板
２ｃ１    受部
２ｄ    開口部
２ｅ    後板
３    コンタクト
４    スライダ
４ａ    押圧部
４ａ１    折曲位置
４ｂ    ロック部
４ｂ１    引出し部
４ｃ    当接部
４ｄ    係止部
１１    カード
１２    信号用カード接点
２１    スライダ付きカードコネクタ
２２    ハウジング
２２ａ    上板
２２ａ１    孔
２４    スライダ
３１    カード
３２    信号用カード接点
【図１】
2004214002.tif 000003
【図２】
2004214002.tif 000004
【図３】
2004214002.tif 000005
【図４】
2004214002.tif 000006
【図５】
2004214002.tif 000007
【図６】
2004214002.tif 000008
【図７】
2004214002.tif 000009
【図８】
2004214002.tif 000010
【図９】
2004214002.tif 000011
【図１０】
2004214002.tif 000012